(57)【要約】【課題】薬等を入れる袋型オブラートを安定支持可能で、必要な配置スペースも大きくない袋型オブラート用箱型スタンドを提供する。【解決手段】袋型オブラート用箱型スタンド１は、箱型ケース部２と、箱型ケース部２の上面２ａに開口し、開口縁３ａで袋型オブラート２０を支持する１個又は複数個の透孔３と、開口縁３ａの一部から立ち上がった袋型オブラートの背もたれ部４とを備える。また、透孔３の下方位置に透孔３よりも小径の小孔１１を有する中段部１０が箱型ケース部内に設けられている。【選択図】図１
0003214921.tif 000002
【実用新案登録請求の範囲】
【請求項１】
箱型ケース部と、
前記箱型ケース部の上面に開口し、開口縁で袋型オブラートを支持する１個又は複数個の透孔と、
前記開口縁の一部から立ち上がった袋型オブラートの背もたれ部と、を備えることを特徴とする袋型オブラート用箱型スタンド。
【請求項２】
前記箱型ケース部が厚紙であり、前記背もたれ部は前記開口縁の内側の厚紙片を折り曲げ形成したものである、請求項１に記載の袋型オブラート用箱型スタンド。
【請求項３】
前記透孔の下方位置に前記透孔よりも小径の小孔を有する中段部が前記箱型ケース部内に設けられている、請求項１又は２に記載の袋型オブラート用箱型スタンド。
【請求項４】
前記中段部が厚紙で形成されている請求項３に記載の袋型オブラート用箱型スタンド。
【考案の詳細な説明】
【技術分野】
【０００１】
本考案は、薬の飲用補助に用いる袋型オブラートを立てた状態で支持する袋型オブラート用箱型スタンドに関する。
【背景技術】
【０００２】
従来の袋型オブラートを自立させる装置としては、オブラート製造会社の自社製袋型オブラートを入れる箱の一部に、オブラートを自立させるスタンド部を形成したものがある（下記特許文献１）。
【０００３】
２枚重ねのシート状物（オブラートの説明書や下敷きと兼用になっている）であって、使用時に前後のシートを引っ張ってオブラートを挿入する収容部を形成するものがある（下記特許文献２）。
【先行技術文献】
【特許文献】
【０００４】
【特許文献１】特開２００４−３１５０８６号公報
【特許文献２】特開２００１−１２２２２９号公報
【考案の概要】
【考案が解決しようとする課題】
【０００５】
袋型オブラートを使用する立場の人々を以下に例示する。
ａ．病院に入院中は、朝・昼・晩・就寝前等、頻繁に薬を服用する人。この場合、往々にしてテーブルの広さが限られている。
ｂ．手指の動きが弱っている人。
ｃ．視力の弱っている人。
ｄ．嚥下能力が低下して、袋型オブラートの粉薬の量を何枚かにほぼ均一に分けて服用したい人。
ｅ．身の回りへの注意力が低下して、薄くて軽く、僅かな風でも飛ばされたりする袋型オブラートの扱いに困ってしまう人。
ｆ．その他、心身の老化で色々な器官の機能が衰えている人。
【０００６】
特許文献２の形状は、下部の支点はＶ字型になるので、袋型オブラートに粉薬を入れるときに不安定で倒れて粉薬を無駄にしてしまいがちであり、特に心身が不自由な病状の人には不便で不向きである。それに、上記の袋型オブラートを使用する立場の人々からすると、必要枚数の袋型オブラートがあれば、特許文献１のような袋型オブラートの収容箱とセットになった袋型オブラートのスタンド部では、全体形状が大きくなり、無駄にスペースを取ってしまう。入院中であれば、ベッド周辺の配置スペースは広くないため、特許文献１のような大形のものは不都合である。
【０００７】
本考案はこうした状況を認識してなされたものであり、その目的は、薬等を入れる袋型オブラートを安定支持可能で、必要な配置スペースも大きくない袋型オブラート用箱型スタンドを提供することにある。
【課題を解決するための手段】
【０００８】
本考案のある態様は、袋型オブラート用箱型スタンドである。この袋型オブラート用箱型スタンドは、箱型ケース部と、
前記箱型ケース部の上面に開口し、開口縁で袋型オブラートを支持する１個又は複数個の透孔と、
前記開口縁の一部から立ち上がった袋型オブラートの背もたれ部と、を備えることを特徴とする。
【０００９】
前記箱型ケース部が厚紙であり、前記背もたれ部は前記開口縁の内側の厚紙片を折り曲げ形成したものであるとよい。
【００１０】
前記透孔の下方位置に前記透孔よりも小径の小孔を有する中段部が前記箱型ケース部内に設けられているとよい。
【００１１】
前記中段部が厚紙で形成されているとよい。
【００１２】
なお、以上の構成要素の任意の組合せもまた、本考案の態様として有効である。
【考案の効果】
【００１３】
本考案の袋型オブラート用箱型スタンドによれば、薬等を入れる袋型オブラートを安定支持可能である。また、必要な配置スペースも大きくないため、ベッドサイドに置く場合であっても邪魔にならない。
【図面の簡単な説明】
【００１４】
【図１】本考案に係る袋型オブラート用箱型スタンドの実施の形態を示す斜視図。
【図２】同じく、厚紙で作成する場合の展開図。
【図３】コーン形状とした袋型オブラートの斜視図。
【考案を実施するための形態】
【００１５】
以下、図面を参照しながら本考案の好適な実施の形態を詳述する。なお、各図面に示される同一または同等の構成要素、部材等には同一の符号を付し、適宜重複した説明は省略する。また、実施の形態は考案を限定するものではなく例示であり、実施の形態に記述されるすべての特徴やその組み合わせは必ずしも考案の本質的なものであるとは限らない。
【００１６】
図１乃至図３を用いて袋型オブラート用箱型スタンドの実施の形態を説明する。これらの図に示すように、袋型オブラート用箱型スタンド１は、直方体状の箱型ケース部２と、箱型ケース部２の上面部２ａに開口し、開口縁３ａで袋型オブラート２０を支持する透孔３と、開口縁３ａの一部から立ち上がった袋型オブラートの背もたれ部４と、を備える。背もたれ部４は開口縁３ａの一部と連絡部４ａで繋がっている。箱型ケース部２は上面部２ａ、４つの側面部２ｂ，２ｃ，２ｄ，２ｅ及び底面部２ｆを有する。
【００１７】
また、箱型ケース部２内には、透孔３の下方位置に透孔３よりも小径の小孔１１を有する中段部１０が設けられている。
【００１８】
箱型ケース部２及び中段部１０は、例えば厚紙を折り曲げ加工することで形成可能であり、背もたれ部４は、例えば厚紙に透孔３を形成する際に、連絡部４ａとなる部分を残して開口縁３ａを形成し、開口縁３ａの内側部分の円形状厚紙片を折り曲げ形成して立ち上げることで形成できる。
【００１９】
袋型オブラート用箱型スタンド１を使用する場合、図３のコーン形状とした袋型オブラート２０を、図１の仮想線に示すように、箱型ケース部２の透孔３に挿置し、袋型オブラート２０の背面が背もたれ部４で支えられるようにし、袋型オブラート２０の内部に粉薬を入れる。袋型オブラート２０の背面が背もたれ部４で支えられるため（あたかも人間が腰掛けに背もたれて寛ぐような姿勢となるため）、袋型オブラート２０を安定させて粉薬や顆粒状薬を袋型オブラート２０に注ぐことができる。このとき、袋型オブラート２０の下部が小孔１１に入り込むことでいっそう支持か安定する。また、小孔１１の高さ位置は薬の量を計る目安としても役立つ。
【００２０】
図２は１枚の厚紙を用いて袋型オブラート用箱型スタンド１を組立可能にした展開図の例である。厚紙３０は、箱型ケース部２となる上面部２ａ、４つの側面部２ｂ，２ｃ，２ｄ，２ｅ及び底面部２ｆ、透孔３及び背もたれ部４を形成するための切り込み７、及び小孔１１を有する中段部１０を有する。また、箱型ケース部２の外面は構成しないが、中段部１０の高さを規定するために折り曲げ面部３２，３３及び側面部２ｄ，２ｅの先端側の差し込み片３４，３５を厚紙３０は有する。厚紙３０の上面部２ａ、４つの側面部２ｂ，２ｃ，２ｄ，２ｅ及び底面部２ｆは箱型ケース部２を形成するように折り曲げられる。差し込み片３４，３５は折り曲げられて直方体形状の内側に差し込まれる。また、中段部１０を所定高さに形成するために、折り曲げ面部３２が中段部１０と底面部２ｆとの高さの差Ｋ１を形成するために側面部２ｂの内側に重なるように折り曲げられ、折り曲げ面部３３は中段部１０と底面部２ｆとの高さの差Ｋ１を形成するために側面部２ｃの内側に重なるように折り曲げられる。背もたれ部４は切り込み７に沿って切り起こすことで、透孔３と同時に形成される。
【００２１】
予め、側面部２ｂに両面接着テープ３５、折り曲げ面部３３に両面接着テープ３６を設けておき、側面部２ｂの内側を両面接着テープ３５で折り曲げ面部３２に貼り合わせ、折り曲げ面部３３を側面部２ｃの内面に両面接着テープ３６で貼り合わせることで、袋型オブラート用箱型スタンド１が作成される。
【００２２】
本実施の形態によれば、下記の通りの効果を奏することができる。
【００２３】
(1) 袋型オブラート用箱型スタンド１の透孔３及びこの開口縁３ａに沿った背もたれ部４で袋型オブラート２０を安定支持可能である。
【００２４】
(2) 袋型オブラート用箱型スタンド１は袋型オブラート２０を保管する部分か無いため、配置スペースが必要最小限で済み、ベッドサイド等に置く場合であっても邪魔にならない。
【００２５】
(3) 透孔３及び背もたれ部４を複数組設ければ、粉薬を複数の袋型オブラート２０にほぼ均一に分けて入れて服用するのに便利である。
【００２６】
(4) 透孔３の下方位置に透孔３よりも小径の小孔１１を有する中段部１０を箱型ケース部２内に設けることで、袋型オブラート２０の下部の支持が安定する。また、中段部１０の高さが粉薬の注入量の目安となる。
【００２７】
(5) 袋型オブラート用箱型スタンド１は厚紙で構成でき、背もたれ部４を透孔３の内側の厚紙片を折り曲げ形成して作成可能であり、安価に提供可能である。
【００２８】
以上、実施の形態を例に本考案を説明したが、実施の形態の各構成要素は請求項に記載の範囲で種々の変形が可能であることは当業者に理解されるところである。以下、変形例について触れる。
【００２９】
図２の袋型オブラート用箱型スタンド１の展開図はあくまで１例であり、図２では、中段部１０も１枚の厚紙から形成するようにしたが、中段部１０は別の厚紙等の折り曲げ加工等で作成してもよい。
【符号の説明】
【００３０】
１  袋型オブラート用箱型スタンド
２  箱型ケース部
３  透孔
４  背もたれ部
１０  中段部
１１  小孔
２０  袋型オブラート
３０  厚紙
【図１】
0003214921.tif 000003
【図２】
0003214921.tif 000004
【図３】
0003214921.tif 000005